(57)【要約】【課題】  新聞紙と共にゴミ等の異物が混入しにくく、混入していたとしても混入を発見しやすい新聞紙回収用シートを提供することにある。【解決手段】  帯状のシート材又はフィルム材で短手方向の長さが二つ折りした新聞の短辺の長さより短いシート部と、シート部の長手方向端辺に接着材とを備え、シート部上に新聞紙を複数部積み重ねて載置し、積み重ねた新聞紙にシート部を巻装し、接着材で長手方向端辺をシート部の面に接着することにより、複数部の新聞紙を結束することを特徴とする。【選択図】図１
2010070258.tif 000002
【特許請求の範囲】
【請求項１】
帯状のシート材又はフィルム材で、短手方向の長さが二つ折りした新聞の短辺の長さより短いシート部と、
該シート部の長手方向端辺に接着材とを備え、
該シート部上に新聞紙を複数部積み重ねて載置し、該積み重ねた新聞紙に該シート部を巻装し、該接着材で該長手方向端辺を該シート部の面に接着することにより、該複数部の新聞紙を結束することを特徴とする新聞紙回収用シート。
【請求項２】
該シート部の長手方向の長さが、２週間程度分の前記新聞紙を結束可能な長さであることを特徴とする請求項１記載の新聞紙回収用シート。
【請求項３】
前記シート部が、折り畳んだ状態で、二つ折りした前記新聞紙の内側に収納可能であることを特徴とする請求項１又は請求項２記載の新聞紙回収用シート。
【請求項４】
前記シート部及び前記接着材が、前記新聞紙と同時に再生処理可能な材質であることを特徴とする請求項１〜請求項３のいずれかに記載の新聞紙回収用シート。
【請求項５】
前記シート部の面が、広告面であることを特徴とする請求項１〜請求項４のいずれかに記載の新聞紙回収用シート。
【請求項６】
前記シート部の一部が、前記接着材の剥離紙となっていることを特徴とする請求項１〜請求項５記載の新聞紙回収用シート。
【発明の詳細な説明】
【技術分野】
【０００１】
本発明は、新聞紙を古紙として回収するための新聞紙回収用シートに関する。
【背景技術】
【０００２】
従来より、新聞紙を古紙として再生処理して活用するために回収が行われている。また、新聞紙を回収するためには、例えば、特許文献１に示されるような新聞古紙回収袋が用いられている。この新聞古紙回収袋は、折り畳んだ新聞紙を積み重ねて収納可能な袋であり、通常は、この袋が一杯になった状態で、回収業者等に引き渡される。この新聞古紙回収袋は、一般に紙製であるが、強度を確保するため等の理由から特許文献１に示されるように樹脂製フィルムが用いられる場合もある。また、紙材を袋状に貼り合わせるのに強力な糊材が多量に用いられる。
【特許文献１】特開２００５−３１３９６８号公報
【発明の開示】
【発明が解決しようとする課題】
【０００３】
しかしながら、従来の新聞古紙回収袋では、袋状であることから新聞紙以外にもゴミ等の異物を入れられてしまう場合があり、新聞紙の回収業者が、回収後に袋を破って新聞紙とそれ以外のものを分別する必要があり、作業が非常に煩雑である。また、材質の関係で、新聞古紙回収袋自体を再生できなかったり、糊材を再生できなかったりすると、新聞古紙回収袋がゴミになってしまう。
【０００４】
本発明は、このような事情に鑑みてなされたもので、新聞紙と共にゴミ等の異物が混入しにくく、混入していたとしても混入を発見しやすい新聞紙回収用シートを提供することにある。
【課題を解決するための手段】
【０００５】
請求項１記載の新聞紙回収用シートは、帯状のシート材又はフィルム材で短手方向の長さが二つ折りした新聞の短辺の長さより短いシート部と、シート部の長手方向端辺に接着材とを備え、シート部上に新聞紙を複数部積み重ねて載置し、積み重ねた新聞紙にシート部を巻装し、接着材で長手方向端辺をシート部の面に接着することにより、複数部の新聞紙を結束することを特徴とする。
【０００６】
請求項２記載の新聞紙回収用シートは、シート部の長手方向の長さが、２週間程度分の新聞紙を結束可能な長さであることを特徴とする。
【０００７】
請求項３記載の新聞紙回収用シートは、シート部が、折り畳んだ状態で、二つ折りした新聞紙の内側に収納可能であることを特徴とする。
【０００８】
請求項４記載の新聞紙回収用シートは、シート部及び接着材が、新聞紙と同時に再生処理可能な材質であることを特徴とする。
【０００９】
請求項５記載の新聞紙回収用シートは、シート部の面が、広告面であることを特徴とする。
【００１０】
請求項６記載の新聞紙回収用シートは、シート部の一部が、接着材の剥離紙となっていることを特徴とする。
【発明の効果】
【００１１】
請求項１の発明によれば、積み重ねた新聞紙にシート部を巻装し、接着材で長手方向端辺をシート部の面に接着することにより、複数部の新聞紙を結束することから、新聞紙と共にゴミ等の異物が混入しにくく、混入していたとしても混入を発見しやすい。
【００１２】
請求項２の発明によれば、シート部の長手方向の長さが、２週間程度分の新聞紙を結束可能な長さであることから、新聞紙を結束した状態で極度に重たくならず、移動や回収が容易である。
【００１３】
請求項３の発明によれば、シート部が、折り畳んだ状態で、二つ折りした新聞紙の内側に収納可能であることから、新聞紙の配達時に新聞紙や折り込みチラシと共に配達可能であり、配達を用意にすることができる。
【００１４】
請求項４の発明によれば、シート部及び接着材が、新聞紙と同時に再生処理可能な材質であることから、新聞紙を結束したまま再生処理が可能で、処理の効率を向上させることができる。
【００１５】
請求項５の発明によれば、シート部の面が、広告面であることから、折り込みチラシと同様の広告効果が期待できる。
【００１６】
請求項６の発明によれば、シート部の一部が、接着材の剥離紙となっていることから、新聞紙を結束するときに接着材の剥離紙がゴミにならず、取り扱いも容易である。
【発明を実施するための最良の形態】
【００１７】
以下、本発明の形態について図面を参照しながら具体的に説明する。本発明の形態における新聞紙回収用シートは、新聞紙を古紙として回収するためのものである。図１は、本発明に係る新聞紙回収用シートの実施例を示す説明図である。図２は、同新聞紙回収用シートの使用方法を示す説明図である。図３は、同新聞紙回収用シートの使用状態を示す説明図である。図４は、同新聞紙回収用シートの展開説明図である。図５は、本発明に係る新聞紙回収用シートの他の実施例を示す説明図である。
【００１８】
新聞紙回収用シート１は、図４（（ａ）は裏面、（ｂ）は表面）に示すような帯状のシート材又はフィルム材であるシート部１０と、シート部１０の一方の長手方向端辺に設けられた接着材１２とで構成されている。シート部１０の紙質は、新聞紙５の折り込みチラシに用いられているものと同様のものである。それ以外の紙質のものでもかまわないが、折り込みチラシと同質なものが好ましく、特には、新聞紙５と同時に再生処理が可能な材質が好ましい。尚、シート部１０は、紙に限られるものではなく、新聞紙５を結束可能な強度を有する帯状のシート材又はフィルム材であればよく、例えば、材質としてポリエチレン、ポリプロピレン、ポリエステル等が使用可能である。
【００１９】
シート部１０の短手方向の長さは、積み重ねた新聞紙５をシート部１０で結束可能な長さであればよく、例えば、新聞紙５を２つ折りにした時の新聞紙５の長手方向の長さよりわずかに短い長さである（図３参照）。シート部１０の長手方向の長さも、新聞紙５を複数部積み重ねた状態で巻装し結束できればよい。好ましいシート部１０の長手方向の長さとしては、１、２回折り畳んだ状態の新聞紙５を２週間分積み重ねた状態で結束できる長さである。
【００２０】
尚、シート部１０を折り畳んだ状態での面積が、新聞紙５を２つ折りにした状態よりも狭くなることが望ましい。すなわち、シート部１０を折り畳んだ状態で二つ折りした新聞の内側に収納可能であることが、望ましい。また、この折り畳んだ状態で、所定の折り癖があることが望ましい。折り癖としては、シート部１０を積み重ねた新聞紙５に巻装した状態で、シート部１０の各面が、新聞紙５に対し、底部１０ａ、壁部１０ｂ、起立部１０ｃ、天井部１０ｄ及び鍔部１０ｅ等として形成されやすいことが望ましい。
【００２１】
接着材１２は、例えば、両面に接着剤が塗布されたテープ状で、シート部１０に接しない側の面は剥離紙で覆われている。切手裏面の接着剤のように、通常の状態では接着性はないが、濡らすと接着可能になるようなものでもよく、シート部１０同士を接着可能であればテープ状である必要はない。尚、接着材１２の材質は、新聞紙５と同時に再生処理可能な材質であることが望ましい。
【００２２】
本実施の形態の新聞紙回収用シート１の使用方法等を説明する。まず、新聞紙回収用シート１は、新聞配達時に折り込みチラシと同様に新聞紙５に折り込まれて新聞紙５と共に配達される。新聞紙回収用シート１で新聞紙５を結束する場合は、まず、シート部１０を図４（ａ）に示すように、裏面側が上になるように床等の上に広げる。次に、シート部１０の底部１０ａになる部分に、新聞紙５を載置して積み重ねていく。そして、図１に示すように、底部１０ａから壁部１０ｂ（天井部１０ｄ及び鍔部１０ｅを含む部分）を積み重ねた新聞紙５に沿うように立ち上げる。また、起立部１０ｃも壁部１０ｂと同様に積み重ねた新聞紙５に沿うように立ち上げる。さらに、立ち上げた壁部１０ｂを、図１の矢印方向に新聞紙５に沿って折り曲げることにより天井部１０ｄが形成され、さらに接着材１２を備えるシート部１０の端辺を新聞紙５にそって折り曲げる（図２矢印方向）ようにする。そして、接着材１２を用いて、シート部１０の起立部１０ｃと鍔部１０ｅとを接着する。これにより、積み重ねられた新聞紙５にシート部１０が巻装し、シート部１０で複数部の新聞紙５を結束した状態になる。その後は、新聞紙回収用シート１で束ねられた新聞紙５を、新聞紙５を回収する者に回収してもらえばよい。
【００２３】
このような本実施の形態における新聞紙回収用シート１によれば、積み重ねた新聞紙５にシート部１０を巻装し、接着材１２で長手方向端辺をシート部１０の面（１０ｃ）に接着することにより複数部の新聞紙５を結束することから、新聞紙５と共にゴミ等の異物が混入しにくく、混入していたとしても混入を発見しやすい。
【００２４】
また、シート部１０の長手方向の長さを２週間程度分の新聞紙５を結束可能な長さにすることで、新聞紙５を結束した状態で極度に重たくならず、移動や回収が容易である。尚、シート部１０の面を広告面（１０ｆ，１０ｇ）にすることで、折り込みチラシと同様の広告効果が期待できる。特に、シート部１０の長手方向の長さを２週間程度分の新聞紙５を結束可能な長さにすることで、期間を限定した広告内容を掲載することが可能となり、従来の使用期間が長い新聞古紙回収袋ではできなったタイムリーな広告が可能となる。尚、広告面とする面は、表面でも裏面でも、どの面であってもよい。
【００２５】
さらに、シート部１０を、折り畳んだ状態で、二つ折りした新聞紙５の内側に収納可能にすることで、新聞紙５の配達時に新聞紙５や折り込みチラシと共に配達可能であり、配達を用意にすることができる。
【００２６】
さらに、シート部１０及び接着材１２を、新聞紙５と同時に再生処理可能な材質にすることにより、新聞紙５を結束したまま再生処理が可能で、処理の効率を向上させることができる。
【００２７】
尚、図１に示す新聞紙回収用シート１では、接着材１２を鍔部１０ｅの裏面に設けているが、これに限られるものではなく、例えば図５に示す新聞紙回収用シート２のように、シート部１６の起立部１６ｃの表面に接着材１８を設けるようにしてもよい。尚、底部１６ａ、壁部１６ｂ、起立部１６ｃ、天井部１６ｄ及び鍔部１６ｅ自体の構造は、新聞紙回収用シート１と同様である。
【００２８】
尚、上記の実施例では、接着材１２，１８で新聞紙５を結束する場合に、接着材１２，１８に貼られた剥離紙を剥がす旨を記載している。しかしながら、シート部１０，１６の一部を、接着材１２，１８の剥離紙として接着材１２，１８を予め覆うようにしておくことも可能である。この場合、新聞紙５を結束するときに、剥離紙となっている部分を接着材１２，１８から剥がしてシート部１０，１６を広げるようにすればよく、剥離紙がゴミにならず、取り扱いも容易になる。
【００２９】
また、上記実施例では、接着材１２，１８を予めシート部１０，１６に設けているが、別々に配達してもよい。このように別々に配達するような場合の接着材１２，１８の剥離紙に広告を印刷するようにしてもよい。
【産業上の利用可能性】
【００３０】
以上のように、新聞紙と共にゴミ等の異物が混入しにくく、混入していたとしても混入を発見しやすい新聞紙回収用シートを提供することができる。
【図面の簡単な説明】
【００３１】
【図１】本発明に係る新聞紙回収用シートの実施例を示す説明図である。
【図２】同新聞紙回収用シートの使用方法を示す説明図である。
【図３】同新聞紙回収用シートの使用状態を示す説明図である。
【図４】同新聞紙回収用シートの展開説明図である。
【図５】本発明に係る新聞紙回収用シートの他の実施例を示す説明図である。
【符号の説明】
【００３２】
１・・・・・新聞紙回収用シート
２・・・・・新聞紙回収用シート
５・・・・・新聞紙
１０・・・・シート部
１０ａ・・・底部
１０ｂ・・・壁部
１０ｃ・・・起立部
１０ｄ・・・天井部
１０ｅ・・・鍔部
１０ｆ・・・広告面
１０ｇ・・・広告面
１２・・・・接着材
１６・・・・シート部
１６ａ・・・底部
１６ｂ・・・壁部
１６ｃ・・・起立部
１６ｄ・・・天井部
１６ｅ・・・鍔部
１８・・・・接着材
【図１】
2010070258.tif 000003
【図２】
2010070258.tif 000004
【図３】
2010070258.tif 000005
【図４】
2010070258.tif 000006
【図５】
2010070258.tif 000007